(57)【要約】【課題】内部の温度調節を確実に行うことができるとともに、日射を有効に利用することが可能なサンルームと、このようなサンルームを備える建物とを提供することを目的とする。【解決手段】開口部４１が形成された屋根部４０の直下に、複数のスラット５１，５１…を備えるとともに、これら各スラット５１，５１…の傾斜角度を可逆的に変位可能としたルーバー型天井部５０が設けられており、これら複数のスラット５１，５１…の一面側は、日射を反射するとともに日射による熱を遮る反射遮熱面５１ａとされており、他面側は、日射による熱を蓄熱する蓄熱面５１ｂとされていることを特徴とするサンルーム１０と、このサンルーム１０が建物本体１に隣接して設けられる建物。これにより、開口部を開閉しながら、複数のスラットの傾斜角度を変位させることができる。【選択図】図１
2011032769.tif 000002
【特許請求の範囲】
【請求項１】
床部と壁部と屋根部とを備え、建物本体に隣接して設けられるサンルームにおいて、
前記屋根部には開口部が形成されており、この開口部には、透光性を有する部材によって構成されるとともに該開口部を開閉する採光窓が設けられており、
この屋根部の直下に、複数のスラットを備えるとともに、これら各スラットの傾斜角度を可逆的に変位可能としたルーバー型天井部が設けられており、
これら複数のスラットの一面側は、日射を反射するとともに日射による熱を遮る反射遮熱面とされており、他面側は、日射による熱を蓄熱する蓄熱面とされていることを特徴とするサンルーム。
【請求項２】
請求項１に記載のサンルームにおいて、
前記ルーバー型天井部は、前記複数のスラットの傾斜角度を同時に変位させる角度調整手段を備えていることを特徴とするサンルーム。
【請求項３】
請求項１に記載のサンルームにおいて、
前記複数のスラットは、それぞれ一枚置きに配置される複数のスラットからなる第１および第２のスラット群によって構成されており、
前記ルーバー型天井部は、前記第１のスラット群を構成する複数のスラットの傾斜角度を同時に変位させる第１の角度調整手段と、
前記第２のスラット群を構成する複数のスラットの傾斜角度を同時に変位させる第２の角度調整手段とを備えていることを特徴とするサンルーム。
【請求項４】
請求項１〜３のいずれか一項に記載のサンルームにおいて、
前記複数のスラットの反射遮熱面と蓄熱面との間は断熱層とされていることを特徴とするサンルーム。
【請求項５】
請求項１〜４のいずれか一項に記載のサンルームにおいて、
前記複数のスラットは、側断面視において平行四辺形状に形成されていることを特徴とするサンルーム。
【請求項６】
請求項１〜５のいずれか一項に記載のサンルームにおいて、
前記壁部は、前記建物本体側の外壁に対向する中央壁部と、この中央壁部の両側部に設けられるとともに、一端部が前記建物本体側の外壁に固定される側壁部とを有しており、
前記中央壁部は、この中央壁部の上端部から前方に突出する庇部を備えており、
前記屋根部は、前記建物本体側の外壁と、前記庇部との間に架け渡されるようにして設けられていることを特徴とするサンルーム。
【請求項７】
請求項６に記載のサンルームにおいて、
前記中央壁部および両側壁部のうち、少なくとも一方に開口部が形成されており、この開口部には、透光性を有する部材によって構成されるとともに該開口部を開閉する採光窓が設けられており、
この採光窓の内側に、複数のスラットを備えるとともに、これら各スラットの傾斜角度を可逆的に変位可能としたルーバー型内壁部が設けられており、
これら複数のスラットの一面側は、日射を反射するとともに日射による熱を遮る反射遮熱面とされており、他面側は、日射による熱を蓄熱する蓄熱面とされていることを特徴とするサンルーム。
【請求項８】
請求項１〜７のいずれか一項に記載のサンルームが建物本体に隣接して設けられる建物であって、
前記建物本体側の外壁は、前記サンルームと建物本体内とを行き来するための出入開口部と、この出入開口部の上部に位置するマグサ部と、このマグサ部の上部に位置する採光用開口部とを備えていることを特徴とする建物。
【発明の詳細な説明】
【技術分野】
【０００１】
本発明は、日射が効果的に取り込まれるサンルームと、このサンルームを備える建物に関する。
【背景技術】
【０００２】
互いに隣り合う複数のスラットのうち、下方に位置するスラットの上端部と上方に位置するスラットの下端部とが重なり合うようにして並設されるとともに、これら複数のスラットが回動自在に構成されてなるルーバー型の天井を備えたサンルームに係る技術が知られている（例えば、特許文献１参照）。
このようなルーバー型の天井であれば、回動自在な複数のスラットを回動させることによって、下方に位置するスラットと上方に位置するスラットとの間に隙間を形成できるとともに、隙間の大きさを調節することができ、光量や換気量を適宜調節できる。
【先行技術文献】
【特許文献】
【０００３】
【特許文献１】特開平０７−１０２８０３号公報
【発明の概要】
【発明が解決しようとする課題】
【０００４】
ところで、日射にさらされるサンルームでは、特に夏季の昼間などにおいて内部が過熱状態となる場合があるため、サンルーム内部の温度調節を確実かつ効果的に行いたいという要望がある。
また、例えば冬季においては、複数のスラットを回動させてしまうと、隣り合うスラット間に隙間が形成され、サンルーム内部に寒気が流れ込んできてしまうため、これら複数のスラットを回動させない状態でサンルームが利用されることになる。このため、昼間の日射を有効に利用することができずに、夜間の室温維持機能において充分な効果を発揮できない場合がある。
【０００５】
本発明の課題は、内部の温度調節を確実に行うことができるとともに、日射を有効に利用することが可能なサンルームと、このようなサンルームを備える建物とを提供することを目的とする。
【課題を解決するための手段】
【０００６】
請求項１に記載の発明は、例えば図１〜図７に示すように、床部２０と壁部３０と屋根部４０とを備え、建物本体１に隣接して設けられるサンルーム１０において、
前記屋根部４０には開口部４１が形成されており、この開口部４１には、透光性を有する部材によって構成されるとともに該開口部４１を開閉する採光窓４２が設けられており、
この屋根部４０の直下に、複数のスラット５１，５１…を備えるとともに、これら各スラット５１，５１…の傾斜角度を可逆的に変位可能としたルーバー型天井部５０が設けられており、
これら複数のスラット５１，５１…の一面側は、日射を反射するとともに日射による熱を遮る反射遮熱面５１ａとされており、他面側は、日射による熱を蓄熱する蓄熱面５１ｂとされていることを特徴とする。
【０００７】
請求項１に記載の発明によれば、前記開口部４１に前記採光窓４２が設けられており、前記屋根部４０の直下に、複数のスラット５１，５１…を備えるとともに、これら各スラット５１，５１…の傾斜角度を可逆的に変位可能としたルーバー型天井部５０が設けられているので、前記採光窓４２によって前記開口部４１を閉塞しながら、前記複数のスラット５１，５１…の傾斜角度を変位させることで、サンルーム１０内部への日射量を調節することができる。
さらに、前記採光窓４２によって前記開口部４１を開放しながら、前記複数のスラット５１，５１…の傾斜角度を変位させることで、サンルーム１０内部の換気量を調節するとともに、サンルーム１０内部への日射量を調節することができる。
また、前記複数のスラット５１，５１…の一面側は、日射を反射するとともに日射による熱を遮る反射遮熱面５１ａとされており、他面側は、日射による熱を蓄熱する蓄熱面５１ｂとされているので、例えば夏季において、前記反射遮熱面５１ａによってサンルーム１０内部および建物本体１内への日射を反射させて遮熱することができる。さらに、前記採光窓４２を開放しておけば、サンルーム１０内部の換気を同時に行うことも可能となる。
また、例えば冬季において、昼間のうちに前記蓄熱面５１ｂによって蓄熱しておき、夜間においてサンルーム１０内部で放熱させることができる。さらに、前記採光窓４２を閉塞しておけば、サンルーム１０内部の暖気が逃げてしまうことを防ぐことが可能となる。さらに、前記反射遮熱面５１ａによって、冬季の角度の低い日射を建物本体１内へと反射させて、建物本体１内の採光を確保することも可能となる。
これによって、サンルーム１０内部の温度調節や換気を確実に行うことができるとともに、日射を有効に利用することができるので、一年を通じて、サンルーム１０内を快適な環境に調整することが可能となる。
【０００８】
請求項２に記載の発明は、例えば図３および図４に示すように、請求項１に記載のサンルーム１０において、
前記ルーバー型天井部５０は、前記複数のスラット５１，５１…の傾斜角度を同時に変位させる角度調整手段５を備えていることを特徴とする。
【０００９】
請求項２に記載の発明によれば、前記ルーバー型天井部５０は、前記複数のスラット５１，５１…の傾斜角度を同時に変位させる角度調整手段５３を備えているので、この角度調整手段５３によって前記複数のスラット５１，５１…の傾斜角度を確実に調整することができ、日射をサンルーム１０内部に取り込んだり、反射遮熱面５１ａによって反射させたりすることができる。
また、前記複数のスラット５１，５１…の傾斜角度を同時に変位させることができるので、これら複数のスラット５１，５１…の操作を容易に行うことができる。
【００１０】
請求項３に記載の発明は、例えば図５〜図７に示すように、請求項１に記載のサンルーム１０において、
前記複数のスラット５１，５１…は、それぞれ一枚置きに配置される複数のスラット５１，５１…からなる第１および第２のスラット群Ｂによって構成されており、
前記ルーバー型天井部５０は、前記第１のスラット群Ａを構成する複数のスラット５１，５１…の傾斜角度を同時に変位させる第１の角度調整手段５４と、
前記第２のスラット群Ｂを構成する複数のスラット５１，５１…の傾斜角度を同時に変位させる第２の角度調整手段５５とを備えていることを特徴とする。
【００１１】
請求項３に記載の発明によれば、前記複数のスラット５１，５１…は、前記第１および第２のスラット群Ｂによって構成されており、前記ルーバー型天井部５０は、前記第１の角度調整手段５４と、前記第２の角度調整手段５５とを備えているので、前記第１の角度調整手段５４によって前記第１のスラット群Ａの各スラット５１，５１…の傾斜角度を確実に調整することができるとともに、前記第２の角度調整手段５５によって前記第２のスラット群Ｂの各スラット５１，５１…の傾斜角度を確実に調整することができる。
また、前記第１および第２の角度調整手段５４，５５によって、前記第１のスラット群Ａと第２のスラット群Ｂとを別々に角度調整できるので、例えば第１のスラット群Ａの各スラット５１，５１…だけ、または第２のスラット群Ｂの各スラット５１，５１…だけを操作して、日射量の調整や、前記採光窓４２によって開口部４１を開放させた際の換気量の調整をより細かく行うことができる。
さらに、前記第１のスラット群Ａと第２のスラット群Ｂとを別々に角度調整することによって、前記反射遮熱面５１ａの位置と、蓄熱面５１ｂの位置とが正反対となるように、前記複数のスラット５１，５１…の傾斜角度を変位させることができる。
【００１２】
請求項４に記載の発明は、例えば図１〜図７に示すように、請求項１〜３のいずれか一項に記載のサンルーム１０において、
前記複数のスラット５１，５１…の反射遮熱面５１ａと蓄熱面５１ｂとの間は断熱層５１ｃとされていることを特徴とする。
【００１３】
請求項４に記載の発明によれば、前記複数のスラット５１，５１…の反射遮熱面５１ａと蓄熱面５１ｂとの間は断熱層５１ｃとされているので、前記反射遮熱面５１ａと蓄熱面５１ｂとの間で、熱が伝達することを確実に防ぐことができる。
これによって、例えば夏季において前記反射遮熱面５１ａで反射遮熱した際に、この反射遮熱面５１ａが温められた場合であっても、その熱が前記蓄熱層５１ｂへと伝達するのを確実に防ぐことができる。また、冬季において前記蓄熱面５１ｂに蓄熱された熱をサンルーム１０内部に放熱する際に、その熱が前記反射遮熱面５１ａへと伝達するのを確実に防ぐことができる。
【００１４】
請求項５に記載の発明は、例えば図１〜図７に示すように、請求項１〜４のいずれか一項に記載のサンルーム１０において、
前記複数のスラット５１，５１…は、側断面視において平行四辺形状に形成されていることを特徴とする。
【００１５】
請求項５に記載の発明によれば、前記複数のスラット５１，５１…は、側断面視において平行四辺形状に形成されているので、隣り合うスラット５１，５１の傾斜する側端面同士を当接させると、隣り合う５１，５１の上面同士が面一となるとともに、下面同士が面一となる。これによって、前記隣り合うスラットの傾斜する側端面同士を当接させるようにして前記複数のスラット５１，５１の角度調整を行うことによって、前記ルーバー型天井部５０の上面および下面を平らに見せることができるので、サンルーム１０の外観性を向上させることができる。
さらに、これら隣り合うスラット５１，５１の側端面同士を互いに当接させるようにして、該隣り合うスラット５１，５１の傾斜角度を変位させた際に、該隣り合うスラット５１，５１の側端面同士が互いに当接した時点で、それ以上変位しないように、互いに変位を抑制することができる。これによって、隣り合うスラット５１，５１の側端面同士が互いに当接する状態を、これら複数のスラット５１，５１…の傾斜角度を変位させる前の定位置とすることができるので、前記ルーバー型天井部５０の上面および下面を容易に平らに見せることができ、サンルーム１０の優れた外観性を保持できる。
【００１６】
請求項６に記載の発明は、例えば図１および図２に示すように、請求項１〜５のいずれか一項に記載のサンルーム１０において、
前記壁部３０は、前記建物本体１側の外壁２に対向する中央壁部３１と、この中央壁部３１の両側部に設けられるとともに、一端部が前記建物本体１側の外壁２に固定される側壁部３２とを有しており、
前記中央壁部３１は、この中央壁部３１の上端部から前方に突出する庇部３１ａを備えており、
前記屋根部４０は、前記建物本体１側の外壁２と、前記庇部３１ａとの間に架け渡されるようにして設けられていることを特徴とする。
【００１７】
請求項６に記載の発明によれば、前記屋根部４０は、前記建物本体１側の外壁２と、前記庇部３１ａとの間に架け渡されるようにして設けられているので、この屋根部４０を、前記建物本体１側の外壁２と、前記庇部３１ａとによって確実に支持することができる。
【００１８】
請求項７に記載の発明は、例えば図１および図２,図８に示すように、請求項６に記載のサンルーム１０において、
前記中央壁部３１および両側壁部３２のうち、少なくとも一方に開口部３３（３５）が形成されており、この開口部３３（３５）には、透光性を有する部材によって構成されるとともに該開口部３３（３５）を開閉する採光窓３４（３６）が設けられており、
この採光窓３４（３６）の内側に、複数のスラット６１,６１…を備えるとともに、これら各スラット６１,６１…の傾斜角度を可逆的に変位可能としたルーバー型内壁部６０が設けられており、
これら複数のスラット６１,６１…の一面側は、日射を反射するとともに日射による熱を遮る反射遮熱面６１ａとされており、他面側は、日射による熱を蓄熱する蓄熱面６１ｂとされていることを特徴とする。
【００１９】
請求項７に記載の発明によれば、前記開口部３３（３５）に前記採光窓３４（３６）が設けられており、この採光窓３４（３６）の内側に、複数のスラット６１,６１…を備えるとともに、これら各スラット６１,６１…の傾斜角度を可逆的に変位可能としたルーバー型内壁部６０が設けられているので、前記採光窓３４（３６）によって前記開口部３３（３５）を閉塞しながら、前記複数のスラット５１，５１…の傾斜角度を変位させることで、サンルーム１０内部への日射量を調節することができる。
さらに、前記採光窓３４（３６）によって前記開口部３３（３５）を開放しながら、前記複数のスラット５１，５１…の傾斜角度を変位させることで、サンルーム１０内部の換気量を調節するとともに、サンルーム１０内部への日射量を調節することができる。
また、前記複数のスラット５１，５１…の一面側は、日射を反射するとともに日射による熱を遮る反射遮熱面５１ａとされており、他面側は、日射による熱を蓄熱する蓄熱面５１ｂとされているので、例えば夏季の日射角度の低い時間帯等において、前記反射遮熱面５１ａによってサンルーム１０内部および建物本体１内への日射を反射させて遮熱することができる。さらに、前記採光窓３４（３６）を開放しておけば、サンルーム１０内部の換気を同時に行うことも可能となる。
また、例えば冬季の日射角度の低い時間帯等において、昼間のうちに前記蓄熱面５１ｂによって蓄熱しておき、夜間においてサンルーム１０内部で放熱させることができる。さらに、前記採光窓３４（３６）を閉塞しておけば、サンルーム１０内部の暖気が逃げてしまうことを防ぐことが可能となる。
これによって、サンルーム１０内部の温度調節や換気をより確実に行うことができるとともに、日射を有効に利用することができるので、一年を通じて、サンルーム１０内をより快適な環境に調整することが可能となる。
【００２０】
請求項８に記載の発明は、例えば図１１および図２に示すように、請求項１〜７のいずれか一項に記載のサンルーム１０が建物本体１に隣接して設けられる建物であって、
前記建物本体１側の外壁２は、前記サンルーム１０と建物本体１内とを行き来するための出入開口部３と、この出入開口部３の上部に位置するマグサ部４と、このマグサ部４の上部に位置する採光用開口部５とを備えていることを特徴とする。
【００２１】
請求項８に記載の発明によれば、請求項１〜７のいずれか一項に記載のサンルーム１０と同様の効果を得ることができるとともに、前記建物本体１側の外壁２は、前記サンルーム１０と建物本体１内とを行き来するための出入開口部３を備えているので、この出入開口部３を通じて、前記サンルーム１０と建物本体１内とを容易かつ確実に行き来できる。
さらに、前記建物本体１側の外壁２は、前記出入開口部３の上部に位置するマグサ部４を備えているので、このマグサ部４に前記屋根部４０の建物側端部を固定することができるので、前記屋根部４０を確実かつ強固に設けることができる。
また、前記建物本体１側の外壁２は、前記マグサ部４の上部に位置する採光用開口部５を備えているので、前記ルーバー型天井部５０によって反射された日射を、この採光用開口部５から建物本体１内に取り込むことができ、建物本体１の採光性を向上させることができる。
【発明の効果】
【００２２】
本発明によれば、サンルームを構成する屋根部の開口部に採光窓が設けられており、屋根部の直下に、複数のスラットを備えるとともに、これら各スラットの傾斜角度を可逆的に変位可能としたルーバー型天井部が設けられているので、採光窓によって開口部を閉塞しながら、複数のスラットの傾斜角度を変位させることで、サンルーム内部への日射量を調節することができる。
さらに、採光窓によって開口部を開放しながら、複数のスラットの傾斜角度を変位させることで、サンルーム内部の換気量を調節するとともに、サンルーム内部への日射量を調節することができる。
また、複数のスラットの一面側は、日射を反射するとともに日射による熱を遮る反射遮熱面とされており、他面側は、日射による熱を蓄熱する蓄熱面とされているので、例えば夏季において、反射遮熱面によってサンルーム内部および建物本体内への日射を反射させて遮熱することができる。さらに、採光窓を開放しておけば、サンルーム内部の換気を同時に行うことも可能となる。
また、例えば冬季において、昼間のうちに蓄熱面によって蓄熱しておき、夜間においてサンルーム内部で放熱させることができる。さらに、採光窓を閉塞しておけば、サンルーム内部の暖気が逃げてしまうことを防ぐことが可能となる。さらに、反射遮熱面によって、冬季の角度の低い日射を建物本体内へと反射させて、建物本体内の採光を確保することも可能となる。
これによって、サンルーム内部の温度調節や換気を確実に行うことができるとともに、日射を有効に利用することができるので、一年を通じて、サンルーム１０内を快適な環境に調整することが可能となる。
【図面の簡単な説明】
【００２３】
【図１】本発明のサンルームおよび建物の一部を示す側断面図である。
【図２】図１に示すサンルームおよび建物の一部を示す平断面図である。
【図３】ルーバー型天井部の各スラットの動作状態の一例を示す概略断面図であり、（ａ）は各スラットの変位前の状態を示し、（ｂ）はスラットを所定角度変位させた状態を示し、（ｃ）は各スラットを限界まで変位させた状態を示す。
【図４】図３に示す各スラットの傾斜角度を変位させる角度調整手段を示す斜視図である。
【図５】ルーバー型天井部の各スラットの動作状態の一例を示す概略断面図であり、（ａ）は第１のスラット群のスラットを所定角度変位させた状態を示し、（ｂ）は第１のスラット群の変位に次いで第２のスラット群を所定角度変位させた状態を示し、（ｃ）は第１および第２のスラット群をさらに所定角度変位させた状態を示す。
【図６】図５に示す第１のスラット群の各スラットの傾斜角度を変位させる角度調整手段を示す斜視図である。
【図７】図５に示す第２のスラット群の各スラットの傾斜角度を変位させる角度調整手段を示す斜視図である。
【図８】ルーバー型内壁部の一部を示す概略断面図である。
【発明を実施するための形態】
【００２４】
以下、図面を参照して本発明の実施の形態について説明する。
図１は本発明に係るサンルームの一例を示す側断面図である。
図１において符号１は、建物本体を示す。この建物本体１は、屋外に面する外壁２を備えており、この外壁２の屋外側にサンルーム１０が設けられている。
また、前記外壁２は、前記サンルーム１０と建物本体１内とを行き来するための出入開口部３と、この出入開口部３の上部に位置するマグサ部４と、このマグサ部４の上部に位置する採光用開口部５とを備えている。さらに、この外壁２の上部には、建物本体１の上階に位置するバルコニー６が設けられている。
【００２５】
前記サンルーム１０は、図１および図２に示すように、床部２０と壁部３０と屋根部４０とを備えている。
前記床部２０は、建物本体の床とともに基礎上に設けられる床下地２１と、この床下地２１の上面に設けられる床本体２２とを有している。また、この床本体２２は土間であり、蓄熱または蓄冷効果を発揮できるようになっている。
【００２６】
前記壁部３０は、前記建物本体１側の外壁２に対向する中央壁部３１と、この中央壁部３１の両側部に設けられるとともに、一端部が前記建物本体１側の外壁２に固定される側壁部３２とを有している。
また、前記中央壁部３１は、この中央壁部３１の上端部から前方に突出する庇部３１ａを備えている。
【００２７】
また、これら中央壁部３１および両側壁部３２，３２には開口部３３，３５，３５が形成されており、これら開口部３３，３５，３５には、透光性を有する部材によって構成されるとともに該開口部３３，３５，３５を開閉する採光窓３４，３６，３６が設けられている。
【００２８】
前記屋根部４０は、前記建物本体１側の外壁２と、前記庇部３１ａとの間に架け渡されるようにして設けられている。
この屋根部４０には、開口部４１が形成されており、この開口部４１には、透光性を有する部材によって構成されるとともに該開口部４１を開閉する採光窓４２が設けられている。
また、この採光窓４２の端部と、サッシとの間には、ゴム等の防水手段が設けられており、採光窓４２の隙間から雨水等がサンルーム１０内へと浸入しないように構成されている。また、防水手段は、重なり合う採光窓４２,４２間にも設けられているものとする。
【００２９】
また、この屋根部４０の直下には、図１および図３に示すように、複数のスラット５１，５１…を備えるとともに、これら各スラット５１，５１…の傾斜角度を可逆的に変位可能としたルーバー型天井部５０が設けられている。
すなわち、このルーバー型天井部５０の各スラット５１，５１…は、該各スラット５１，５１…の長さ方向に沿って延在するとともに、該各スラット５１，５１…の長さ方向両側端面から突出する回動軸５１ｄの軸周り方向に回動自在となっている。これによって、各スラット５１，５１…の傾斜角度を、一方向に変位できるとともに、一方向に変位させた後にその逆方向に変位させることができる。
【００３０】
また、これら複数のスラット５１，５１…は、図１〜図３に示すように、側断面視において平行四辺形状に形成されている。
したがって、図３（ａ）に示すように、隣り合うスラット５１，５１の傾斜する側端面同士を当接させると、隣り合う５１，５１の上面同士が面一となるとともに、下面同士が面一となる。
さらに、これら隣り合うスラット５１，５１の側端面同士を互いに当接させるようにして、該隣り合うスラット５１，５１の傾斜角度を変位させた際に、該隣り合うスラット５１，５１の側端面同士が互いに当接した時点で、それ以上変位しないように、互いに変位を抑制することができる。これによって、隣り合うスラット５１，５１の側端面同士が互いに当接する状態を、これら複数のスラット５１，５１…の傾斜角度を変位させる前の定位置とすることができる。
なお、本実施の形態の複数のスラット５１，５１…は側断面視において平行四辺形状に形成されているとしたが、これに限られるものではなく、例えば側断面視において長円状や菱形状等でもよく、本発明の趣旨を逸脱しない範囲で適宜変更可能である。
【００３１】
また、図３に示すように、これら複数のスラット５１，５１…の一面側は、日射を反射するとともに日射による熱を遮る反射遮熱面５１ａとされており、他面側は、日射による熱を蓄熱する蓄熱面５１ｂとされている。
さらに、これら反射遮熱面５１ａと蓄熱面５１ｂとの間は断熱層５１ｃとされており、前記反射遮熱面５１ａと蓄熱面５１ｂとの間で、熱が伝達することを確実に防ぐことができる。
【００３２】
前記反射遮熱面５１ａを構成する材料としては、例えばアルミニウム等の材料をシート状に成型してなる、いわゆる熱反射シート等が用いられている。または、フッ素樹脂塗料等のような熱反射塗料等を用いてもよい。
また、前記蓄熱面５１ｂを構成する材料としては、スラットとしての形状を保持する必要があることから、例えばコンクリートや、セメントモルタルや、レンガのような窯業系材料や、パラフィン等の化学材料をボード状に成型してなるもの等が用いられている。
また、前記断熱材５１ｃとしては、スラットとしての形状を保持する必要があることから、例えば硬質ウレタンフォームが用いられている。
なお、これら反射遮熱面５１ａを構成する材料、蓄熱面５１ｂを構成する材料、断熱材５１ｃとして上記各材料を挙げたが、これに限られるものではなく、本発明の趣旨を逸脱しない範囲で適宜変更可能である。
【００３３】
また、このような複数のスラット５１，５１…は矩形枠状に形成される枠部５２の枠内に並設されるようにして設けられている。
さらに、この枠部５２の内周面のうち、前記複数のスラット５１，５１…の両側端部側に位置する内周面には、前記複数のスラット５１，５１…の回動軸５１ｄの突出端部を回動自在に収容する収容穴（図示せず）が形成されているものとする。
【００３４】
また、前記ルーバー型天井部５０は、図３および図４に示すように、前記複数のスラット５１，５１…の傾斜角度を同時に変位させる角度調整手段５３を備えている。
本実施の形態の角度調整手段５３は、各スラット５１，５１…の回動軸５１ｄと同軸に設けられるスプロケット５３ａと、ルーバー型天井部５０の両端部に位置するスラット５１，５１の回動軸５１ｄ，５１ｄと同軸に設けられるスプロケット５３ａ，５３ａに巻き掛けられる無端状の巻掛部材５３ｂとを有している。
そして、前記スプロケット５３ａの外表面には、周方向に沿って複数の凸部が並設されており、前記巻掛部材５３ｂの内周面には、この巻掛部材５３ｂの内周方向に沿って、前記スプロケット５３ａの複数の凸部に係合する複数の凹部が並設されている。
【００３５】
なお、前記ルーバー型天井部５０の両端部に位置するスラット５１，５１の回動軸５１ｄ，５１ｄと同軸に設けられるスプロケット５３ａ，５３ａ以外のスプロケット５３ａと前記巻掛部材５３ｂとは、この巻掛部材５３ｂを、図示しない押さえ部材等によってスプロケット５３ａ側に押し付けることによって、複数の凸部と複数の凹部とが係合し合うように構成されているものとする。
【００３６】
また、前記ルーバー型天井部５０の両端部に位置するスラット５１，５１の回動軸５１ｄ，５１ｄのうち、少なくとも一方が主軸とされている。したがって、この主軸は、この主軸を回動させるための回動手段（図示せず）と連結しており、この回動手段によって前記主軸を回動させて、前記複数のスラット５１，５１…の傾斜角度を同時に変位できるようになっている。
この回動手段は、例えば手回し用のレバー等でも、モーター等による回動駆動装置等でもよい。なお、回動駆動装置を用いる際は、図示しない制御装置等によって制御して、前記複数のスラット５１，５１…の回動可能範囲内で回動できるように設定しておくことが望ましい。
【００３７】
なお、本実施の形態の角度調整手段５３は以上のような構成としたが、これに限られるものではなく、例えばリンク機構を用いるなどして適宜変更可能である。
【００３８】
ここで、この角度調整手段５３を使用する方法について説明する。
図３（ａ）の状態は、前記複数のスラット５１，５１…の反射遮熱面５１ａが上方に位置しており、蓄熱面５１ｂが下方に位置している状態となっている。したがって、このような状態にしておけば、上方からの日射を完全に反射させることができる。
【００３９】
続いて、図３（ｂ）に示すように、角度調整手段５３によって各スラット５１，５１…の傾斜角度を変位させて、隣り合うスラット５１，５１間に隙間を形成する。さらに、角度調整手段５３によって各スラット５１，５１…の傾斜角度を変位させることで、隣り合うスラット５１，５１間の隙間を広げたり、反対に狭めることができる。
すなわち、隙間を広げることで、日射をサンルーム１０内部に取り込むことができるとともに、前記採光窓４２によって開口部４１を開放する際の換気量を多くすることができる。また、隙間を狭めることで、日射を遮ることができるとともに、前記採光窓４２によって開口部４１を開放する際の換気を確保できる。
【００４０】
この時、前記反射遮熱面５１ａの傾斜角度も変位するので、日射の反射方向を調整できることとなる。
これによって、日射の反射方向を適宜調整することによって、反射光を、前記外壁２の採光用開口部５から建物本体１内に取り込むことができる。なお、このように反射光を、前記外壁２の採光用開口部５から建物本体１内に取り込む際は、前記複数のスラット５１，５１…が、日射を建物本体１側に反射可能に傾斜可能な構成であることが必須である。
【００４１】
続いて、図３（ｃ）に示すように、角度調整手段５３によって各スラット５１，５１…の傾斜角度をさらに変位させて、前記蓄熱面５１ｂを上方に位置させることができる。
これによって、例えば冬季において、昼間のうちに蓄熱しておくことができ、夜間において図３（ａ）に示すような状態に戻すことで、蓄熱した熱をサンルーム１０内部で放熱させることができる。
【００４２】
以上のようにして角度調整手段５３を使用することによって、前記複数のスラット５１，５１…の傾斜角度を適宜変位させることができるので、サンルーム１０内への日射量を調節したり、反射光を建物本体１に導入させたり、また、前記採光窓４２によって前記開口部４１を開閉することで、サンルーム１０内の換気も行うことができる。
【００４３】
一方、前記ルーバー型天井部５０は、以上のような角度調整手段５３ではなく、図５〜図７に示すような角度調整手段５４，５５を備えていてもよいものとする。
すなわち、まずは、前記複数のスラット５１，５１…が、これら複数のスラット５１，５１…を、それぞれ一枚置きに配置される複数のスラット５１，５１…からなる第１および第２のスラット群Ｂによって構成するものと設定されていることが必須条件となる。
そして、このように第１のスラット群Ａと第２のスラット群Ｂとによって構成されるルーバー型天井部５０は、前記第１のスラット群Ａを構成する複数のスラット５１，５１…の傾斜角度を同時に変位させる第１の角度調整手段５４と、前記第２のスラット群Ｂを構成する複数のスラット５１，５１…の傾斜角度を同時に変位させる第２の角度調整手段５５とを備えるものと設定されている。
【００４４】
前記角度調整手段５４は、図６に示すように、第１のスラット群Ａの各スラット５１，５１…の長さ方向一端側の回動軸５１ｄと同軸に設けられるスプロケット５４ａと、第１のスラット群Ａのうち、最もルーバー型天井部５０の両端部に近いスラット５１，５１の回動軸５１ｄ，５１ｄと同軸に設けられるスプロケット５４ａ，５４ａに巻き掛けられる無端状の巻掛部材５４ｂとを有している。
また、前記角度調整手段５５は、図７に示すように、第２のスラット群Ｂの各スラット５１，５１…の長さ方向他端側の回動軸５１ｄと同軸に設けられるスプロケット５５ａと、第２のスラット群Ｂのうち、最もルーバー型天井部５０の両端部に近いスラット５１，５１の回動軸５１ｄ，５１ｄと同軸に設けられるスプロケット５５ａ，５５ａに巻き掛けられる無端状の巻掛部材５５ｂとを有している。
【００４５】
なお、これら角度調整手段５４，５５のスプロケット５４ａ，５５ａの外表面には、周方向に沿って複数の凸部が並設されており、前記巻掛部材５４ｂ，５５ｂの内周面には、この巻掛部材５４ｂ，５５ｂの内周方向に沿って、前記スプロケット５４ａ，５５ａの複数の凸部に係合する複数の凹部が並設されている。
また、前記ルーバー型天井部５０の両端部に近いスプロケット５４ａ，５４ａ、５５ａ，５５ａ以外のスプロケット５４ａ，５５ａと前記巻掛部材５４ｂ，５５ｂとは、この巻掛部材５４ｂ，５５ｂを、図示しない押さえ部材等によってスプロケット５４ａ，５５ａ側に押し付けることによって、複数の凸部と複数の凹部とが係合し合うように構成されているものとする。
【００４６】
また、第１のスラット群Ａおよび第２のスラット群Ｂにおいて、それぞれ前記ルーバー型天井部５０の両端部に近いスラット５１，５１の回動軸５１ｄ，５１ｄのうち、少なくとも一方が主軸とされている。
そして、この主軸は、上述の角度調整手段５３の場合と同様に、この主軸を回動させるための回動手段（図示せず）と連結しているものとする。
【００４７】
なお、本実施の形態では、図６および図７に示すように、角度調整手段５４はルーバー型天井部５０の一方側に配置され、角度調整手段５５はルーバー型天井部５０の他方側に配置されているが、これら第１および第２のスラット群Ａ，Ｂを前記ルーバー型天井部５０の同じ側に配置してもよい。
すなわち、前記第１のスラット群Ａの各スラット５１，５１…と、前記第２のスラット群Ｂの各スラット５１，５１…とで、前記スプロケット５４ａ，５５ａの取り付け位置を、回動軸５１ｄの軸方向に沿ってずらし、巻掛部材５４ｂ、５５ｂ同士が接触しないようにする。
【００４８】
なお、本実施の形態の角度調整手段５４，５５は以上のような構成としたが、これに限られるものではなく、例えばリンク機構を用いるなどして適宜変更可能である。
【００４９】
以下、これら角度調整手段５４，５５を使用する方法について説明する。
まず、前記第１のスラット群Ａの主軸（回動軸５１ｄ）と、第２のスラット群Ｂの主軸（回動軸５１ｄ）を同時に同方向に回転させることによって、上述の角度調整手段５３による各スラット５１，５１…の傾斜角度の変位の形態と同様の形態で、前記複数のスラット５１，５１…の傾斜角度を変位できるようになっている。
【００５０】
また、前記第１および第２の角度調整手段５４，５５によって、前記第１のスラット群Ａと第２のスラット群Ｂとを別々に角度調整できる。
したがって、例えば第１のスラット群Ａの各スラット５１，５１…だけ、または第２のスラット群Ｂの各スラット５１，５１…だけを操作して、日射量の調整や、前記採光窓４２によって開口部４１を開放させた際の換気量の調整をより細かく行うことができる。
すなわち、例えば前記第２のスラット群Ｂの各スラット５１，５１…の傾斜角度は変位させずに、前記第１のスラット群Ａの各スラット５１，５１…の傾斜角度だけを変位させることで、例えば第１のスラット群Ａおよび第２のスラット群Ｂ双方のスラット５１，５１…を変位させる場合に比して、隣り合うスラット５１，５１間の隙間を小さくすることができる。
これによって、春や秋、季節の変わり目などのように、微妙な環境調整を必要とする時季に、前記サンルーム１０内の環境を細かに調節することができるので、快適性を向上させることができる。
【００５１】
続いて、前記第１のスラット群Ａと第２のスラット群Ｂとを別々に角度調整することによって、前記反射遮熱面５１ａの位置と、蓄熱面５１ｂの位置とが正反対となるように、前記複数のスラット５１，５１…の傾斜角度を変位させることができる。
すなわち、図５（ａ）に示すように、まず、第１のスラット群Ａの各スラット５１，５１…だけを変位させて、第２のスラット群Ｂの各スラット５１，５１…が前記第１のスラット群Ａの各スラット５１，５１…に邪魔されずに回動できるスペースを形成する。
【００５２】
次に、第２のスラット群Ｂの各スラット５１，５１…を、前記第１のスラット群Ａの各スラット５１，５１…の傾斜角度を変位させた方向とは逆の方向（図５（ａ）中の矢印の方向）に、その傾斜角度を変位させて、図５（ｂ）に示すような状態にする。
つまり、隣り合うスラット５１，５１の反射遮熱面５１ａ，５１ａ同士、または蓄熱面５１ｂ，５１ｂ同士が向かい合うような状態である。
【００５３】
次に、第１のスラット群Ａの各スラット５１，５１…を、前記第２のスラット群Ｂの各スラット５１，５１…の傾斜角度を変位させた方向と同じ方向（図５（ｂ）中の矢印の方向）に、その傾斜角度を変位させる。
つまり、このように第１のスラット群Ａの各スラット５１，５１…の傾斜角度を変位させることで、隣り合うスラット５１，５１の反射遮熱面５１ａと蓄熱面５１ｂ，５１ｂとが向かい合うような状態となる。
このような状態で、適宜、前記第１および第２のスラット群Ａ，Ｂの各スラット５１，５１…の傾斜角度を変位させることによって、図５（ｃ）に示すような、単に第１および第２のスラット群Ａ，Ｂの各スラット５１，５１…の傾斜角度を同時・同方向に変位させる場合ではできない形態を実現することができる。
これによって、前記反射遮熱面５１ａの位置と、蓄熱面５１ｂの位置とが正反対となるように、前記複数のスラット５１，５１…の傾斜角度を変位させることができる。
【００５４】
一方、前記壁部２０において、前記中央壁部３１の開口部３３を開閉する採光窓３４の内側には、図１および図２，図８に示すように、複数のスラット６１,６１…を備えるとともに、これら各スラット６１,６１…の傾斜角度を可逆的に変位可能としたルーバー型内壁部６０が設けられている。
すなわち、このルーバー型内壁部６０の各スラット６１，６１…は、該各スラット６１，６１…の長さ方向に沿って延在するとともに、該各スラット６１，６１…の長さ方向両側端面から突出する回動軸６１ｄの軸周り方向に回動自在となっている。これによって、各スラット６１，６１…の傾斜角度を、一方向に変位できるとともに、一方向に変位させた後にその逆方向に変位させることができる。
【００５５】
また、これら複数のスラット６１,６１…の一面側は、日射を反射するとともに日射による熱を遮る反射遮熱面６１ａとされており、他面側は、日射による熱を蓄熱する蓄熱面６１ｂとされている。
さらに、これら反射遮熱面６１ａと蓄熱面６１ｂとの間は断熱層６１ｃとされている。
【００５６】
また、このような複数のスラット６１，６１…は矩形枠状に形成される枠部６２の枠内に並設されるようにして設けられている。
さらに、この枠部６２の内周面のうち、前記複数のスラット６１，６１…の両側端部側に位置する内周面には、前記複数のスラット６１，６１…の回動軸６１ｄの突出端部を回動自在に収容する収容穴（図示せず）が形成されているものとする。
【００５７】
さらに、このルーバー型内壁部６０は、前記複数のスラット６１，６１…の傾斜角度を同時に変位させる角度調整手段を備えている。
なお、角度調整手段としては、このように複数のスラット６１，６１…の傾斜角度を同時に変位させるものだけに限られるものではない。
すなわち、例えば前記複数のスラット６１，６１…を、それぞれ一枚置きに配置される複数のスラット６１，６１…からなる第１および第２のスラット群Ａ，Ｂによって構成したうえで、ルーバー型内壁部６０を、第１のスラット群を構成する複数のスラット６１，６１…の傾斜角度を同時に変位させる第１の角度調整手段と、第２のスラット群を構成する複数のスラット６１，６１…の傾斜角度を同時に変位させる第２の角度調整手段とを備えるものとしてもよい。
【００５８】
以上のようなルーバー型内壁部６０によれば、前記採光窓３４によって前記開口部３３を開放したり、閉塞しながら、前記複数のスラット５１，５１…の傾斜角度を変位させることで、サンルーム１０内部への日射量を調節することができる。
また、前記複数のスラット５１，５１…の一面側は、日射を反射するとともに日射による熱を遮る反射遮熱面５１ａとされており、他面側は、日射による熱を蓄熱する蓄熱面５１ｂとされているので、例えば夏季の日射角度の低い時間帯等において、前記反射遮熱面５１ａによってサンルーム１０内部および建物本体１内への日射を反射させて遮熱することができる。さらに、前記採光窓３４を開放しておけば、サンルーム１０内部の換気を同時に行うことも可能となる。
また、例えば冬季の日射角度の低い時間帯等において、昼間のうちに前記蓄熱面５１ｂによって蓄熱しておき、夜間においてサンルーム１０内部で放熱させることができる。さらに、前記採光窓３４を閉塞しておけば、サンルーム１０内部の暖気が逃げてしまうことを防ぐことが可能となる。
【００５９】
本実施の形態によれば、前記開口部４１に前記採光窓４２が設けられており、前記屋根部４０の直下に、複数のスラット５１，５１…を備えるとともに、これら各スラット５１，５１…の傾斜角度を可逆的に変位可能としたルーバー型天井部５０が設けられているので、前記採光窓４２によって前記開口部４１を閉塞しながら、前記複数のスラット５１，５１…の傾斜角度を変位させることで、サンルーム１０内部への日射量を調節することができる。
さらに、前記採光窓４２によって前記開口部４１を開放しながら、前記複数のスラット５１，５１…の傾斜角度を変位させることで、サンルーム１０内部の換気量を調節するとともに、サンルーム１０内部への日射量を調節することができる。
また、前記複数のスラット５１，５１…の一面側は、日射を反射するとともに日射による熱を遮る反射遮熱面５１ａとされており、他面側は、日射による熱を蓄熱する蓄熱面５１ｂとされているので、例えば夏季において、前記反射遮熱面５１ａによってサンルーム１０内部および建物本体１内への日射を反射させて遮熱することができる。さらに、前記採光窓４２を開放しておけば、サンルーム１０内部の換気を同時に行うことも可能となる。
また、例えば冬季において、昼間のうちに前記蓄熱面５１ｂによって蓄熱しておき、夜間においてサンルーム１０内部で放熱させることができる。さらに、前記採光窓４２を閉塞しておけば、サンルーム１０内部の暖気が逃げてしまうことを防ぐことが可能となる。さらに、前記反射遮熱面５１ａによって、冬季の角度の低い日射を建物本体１内へと反射させて、建物本体１内の採光を確保することも可能となる。
これによって、サンルーム１０内部の温度調節や換気を確実に行うことができるとともに、日射を有効に利用することができるので、一年を通じて、サンルーム１０内を快適な環境に調整することが可能となる。
【００６０】
また、前記ルーバー型天井部５０は、前記複数のスラット５１，５１…の傾斜角度を同時に変位させる角度調整手段５３を備えているので、この角度調整手段５３によって前記複数のスラット５１，５１…の傾斜角度を確実に調整することができ、日射をサンルーム１０内部に取り込んだり、反射遮熱面５１ａによって反射させたりすることができる。
また、前記複数のスラット５１，５１…の傾斜角度を同時に変位させることができるので、これら複数のスラット５１，５１…の操作を容易に行うことができる。
【００６１】
また、前記ルーバー型天井部５０が、角度調整手段５３とは異なる第１の角度調整手段５４と、第２の角度調整手段５５とを備えていれば、前記第１の角度調整手段５４によって前記第１のスラット群Ａの各スラット５１，５１…の傾斜角度を確実に調整することができるとともに、前記第２の角度調整手段５５によって前記第２のスラット群Ｂの各スラット５１，５１…の傾斜角度を確実に調整することができる。
また、前記第１および第２の角度調整手段５４，５５によって、前記第１のスラット群Ａと第２のスラット群Ｂとを別々に角度調整できるので、例えば第１のスラット群Ａの各スラット５１，５１…だけ、または第２のスラット群Ｂの各スラット５１，５１…だけを操作して、日射量の調整や、前記採光窓４２によって開口部４１を開放させた際の換気量の調整をより細かく行うことができる。
さらに、前記第１のスラット群Ａと第２のスラット群Ｂとを別々に角度調整することによって、前記反射遮熱面５１ａの位置と、蓄熱面５１ｂの位置とが正反対となるように、前記複数のスラット５１，５１…の傾斜角度を変位させることができる。
【００６２】
また、前記複数のスラット５１，５１…の反射遮熱面５１ａと蓄熱面５１ｂとの間は断熱層５１ｃとされているので、前記反射遮熱面５１ａと蓄熱面５１ｂとの間で、熱が伝達することを確実に防ぐことができる。
これによって、例えば夏季において前記反射遮熱面５１ａで反射遮熱した際に、この反射遮熱面５１ａが温められた場合であっても、その熱が前記蓄熱層５１ｂへと伝達するのを確実に防ぐことができる。また、冬季において前記蓄熱面５１ｂに蓄熱された熱をサンルーム１０内部に放熱する際に、その熱が前記反射遮熱面５１ａへと伝達するのを確実に防ぐことができる。
【００６３】
また、前記複数のスラット５１，５１…は、側断面視において平行四辺形状に形成されているので、隣り合うスラット５１，５１の傾斜する側端面同士を当接させると、隣り合う５１，５１の上面同士が面一となるとともに、下面同士が面一となる。これによって、前記隣り合うスラットの傾斜する側端面同士を当接させるようにして前記複数のスラット５１，５１の角度調整を行うことによって、前記ルーバー型天井部５０の上面および下面を平らに見せることができるので、サンルーム１０の外観性を向上させることができる。
さらに、これら隣り合うスラット５１，５１の側端面同士を互いに当接させるようにして、該隣り合うスラット５１，５１の傾斜角度を変位させた際に、該隣り合うスラット５１，５１の側端面同士が互いに当接した時点で、それ以上変位しないように、互いに変位を抑制することができる。これによって、隣り合うスラット５１，５１の側端面同士が互いに当接する状態を、これら複数のスラット５１，５１…の傾斜角度を変位させる前の定位置とすることができるので、前記ルーバー型天井部５０の上面および下面を容易に平らに見せることができ、サンルーム１０の優れた外観性を保持できる。
【００６４】
また、前記屋根部４０は、前記建物本体１側の外壁２と、前記庇部３１ａとの間に架け渡されるようにして設けられているので、この屋根部４０を、前記建物本体１側の外壁２と、前記庇部３１ａとによって確実に支持することができる。
【００６５】
また、前記開口部３３に前記採光窓３４が設けられており、この採光窓３４の内側に、複数のスラット６１,６１…を備えるとともに、これら各スラット６１,６１…の傾斜角度を可逆的に変位可能としたルーバー型内壁部６０が設けられているので、前記採光窓３４によって前記開口部３３を閉塞しながら、前記複数のスラット５１，５１…の傾斜角度を変位させることで、サンルーム１０内部への日射量を調節することができる。
さらに、前記採光窓３４によって前記開口部３３を開放しながら、前記複数のスラット５１，５１…の傾斜角度を変位させることで、サンルーム１０内部の換気量を調節するとともに、サンルーム１０内部への日射量を調節することができる。
また、前記複数のスラット５１，５１…の一面側は、日射を反射するとともに日射による熱を遮る反射遮熱面５１ａとされており、他面側は、日射による熱を蓄熱する蓄熱面５１ｂとされているので、例えば夏季の日射角度の低い時間帯等において、前記反射遮熱面５１ａによってサンルーム１０内部および建物本体１内への日射を反射させて遮熱することができる。さらに、前記採光窓３４を開放しておけば、サンルーム１０内部の換気を同時に行うことも可能となる。
また、例えば冬季の日射角度の低い時間帯等において、昼間のうちに前記蓄熱面５１ｂによって蓄熱しておき、夜間においてサンルーム１０内部で放熱させることができる。さらに、前記採光窓３４を閉塞しておけば、サンルーム１０内部の暖気が逃げてしまうことを防ぐことが可能となる。
これによって、サンルーム１０内部の温度調節や換気をより確実に行うことができるとともに、日射を有効に利用することができるので、一年を通じて、サンルーム１０内をより快適な環境に調整することが可能となる。
【００６６】
また、前記建物本体１側の外壁２は、前記サンルーム１０と建物本体１内とを行き来するための出入開口部３を備えているので、この出入開口部３を通じて、前記サンルーム１０と建物本体１内とを容易かつ確実に行き来できる。
さらに、前記建物本体１側の外壁２は、前記出入開口部３の上部に位置するマグサ部４を備えているので、このマグサ部４に前記屋根部４０の建物側端部を固定することができるので、前記屋根部４０を確実かつ強固に設けることができる。
また、前記建物本体１側の外壁２は、前記マグサ部４の上部に位置する採光用開口部５を備えているので、前記ルーバー型天井部５０によって反射された日射を、この採光用開口部５から建物本体１内に取り込むことができ、建物本体１の採光性を向上させることができる。
【符号の説明】
【００６７】
１  建物本体
１０  サンルーム
２０  床部
３０  壁部
４０  屋根部
４１  開口部
４２  採光窓
５０  ルーバー型天井部
５１  スラット
５１ａ  反射遮熱面
５１ｂ  蓄熱面
【図１】
2011032769.tif 000003
【図２】
2011032769.tif 000004
【図３】
2011032769.tif 000005
【図４】
2011032769.tif 000006
【図５】
2011032769.tif 000007
【図６】
2011032769.tif 000008
【図７】
2011032769.tif 000009
【図８】
2011032769.tif 000010